(57)【要約】      （修正有）【課題】マウスなどの比較的小さい動物を対象とした、入墨作業の作業時間の短縮を図ることができる識別記号入墨器シリーズを提供する。【解決手段】支点１２により第一操作腕１０と第二操作腕１１とを開閉自在とするはさみ形状の入墨器を二以上含む入墨器シリーズであって、第一操作腕１０の内側に備えた入墨用の針ベース１３が、一方向から二以上の入墨針を突き立て、これらの入墨針の位置により記号を表示し、異なる記号を表示した針ベース１３を、二以上の入墨器のそれぞれに備えたことを特徴とする識別記号入墨器シリーズにより上記問題を解決した。【選択図】図１
0003184930.tif 000002
【実用新案登録請求の範囲】
【請求項１】
支点により第一操作腕と第二操作腕とを開閉自在とするはさみ形状の入墨器を二以上含む入墨器シリーズであって、
前記第一操作腕の内側に入墨用の針ベースを備え、
この針ベースが、一方向から二以上の入墨針を突き立て、これらの入墨針の位置により記号を表示し、
異なる記号を表示した前記針ベースを、前記二以上の入墨器のそれぞれに備えたことを特徴とする識別記号入墨器シリーズ。
【請求項２】
前記入墨針が形状記憶合金であることを特徴とする請求項１に記載の識別記号入墨器シリーズ。
【請求項３】
前記針ベースが、硬質プラスチックの固定板に前記入墨針を突き立て、
この入墨針の固定端側が第一操作腕に接することを特徴とする請求項１又は請求項２に記載の識別記号入墨器シリーズ。
【請求項４】
前記はさみ体を構成する第一操作腕と第二操作腕の力点側に、
入墨後に前記針ベースと、この針ベースに対向する針受けとの間隔を初期状態に戻すための付勢部材を設けたことを特徴とする請求項１から請求項３のいずれか１項に記載の識別記号入墨器シリーズ。
【請求項５】
隣接する前記入墨針の軸芯の中心間距離が、
前記入墨針の直径の１．５倍以上である請求項１から請求項４に記載の識別記号入墨器シリーズ。
【考案の詳細な説明】
【技術分野】
【０００１】
本考案は、マウスなどの比較的小さい実験用動物の個体識別用入墨を行うための入墨器を二以上含む入墨器シリーズに関するものである。
【背景技術】
【０００２】
肉牛などの家畜の個体識別を行う方法として、ＩＣタグを耳に取り付けて個体識別を行う方法がある。また、耳パンチや身体の各部の入墨も個体を識別する方法として採用されている。特許文献１には豚などの比較的大きな家畜の耳に対して入墨する入墨器が開示されている。
【先行技術文献】
【特許文献】
【０００３】
【特許文献１】特公平１−２３０９７号公報
【考案の概要】
【考案が解決しようとする課題】
【０００４】
しかし、特許文献１に記載の入墨器は、豚などの比較的大きな家畜の耳に対して入墨を行うものであり、マウスなどの比較的小さい動物が対象の場合に同様の構成をとると、針キャリアが小さくなるため、個体識別のため異なる記号を入墨する際の針キャリアの交換に時間がかかり、入墨作業の効率が著しく悪くなるという問題がある。いわゆるカルタヘナ法（遺伝子組換え生物等の使用等の規制による生物の多様性の確保に関する法律）の施行後、特に遺伝子改変マウスについては個体識別が必須となり、実験対象の動物全てに識別標識である入墨をする必要があるため、入墨作業の作業時間の短縮がより求められている。よって、上記問題を解決した入墨器を提供することが、本考案が解決しようとする課題である。
【課題を解決するための手段】
【０００５】
本考案は、上記課題を解決すべく次のような技術的手段を講じた。
すなわち、請求項１記載の考案は、支点１２により第一操作腕１０と第二操作腕１１とを開閉自在とするはさみ形状の入墨器を二以上含む入墨器シリーズであって、前記第一操作腕１０の内側に入墨用の針ベース１３を備え、この針ベース１３が、一方向から二以上の入墨針１３ａを突き立て、これらの入墨針１３ａの位置により記号を表示し、異なる記号を表示した前記針ベース１３を、前記二以上の入墨器のそれぞれに備えたことを特徴とする識別記号入墨器シリーズである。
【０００６】
また、請求項２記載の考案は、前記入墨針１３ａが形状記憶合金であることを特徴とする請求項１に記載の識別記号入墨器シリーズである。
【０００７】
また、請求項３記載の考案は、前記針ベース１３が、硬質プラスチックの固定板１３ｂに前記入墨針１３ａを突き立て、この入墨針１３ａの固定端側が第一操作腕１０に接することを特徴とする請求項１又は請求項２に記載の識別記号入墨器シリーズである。
【０００８】
また、請求項４記載の考案は、前記はさみ体を構成する第一操作腕１０と第二操作腕１１の力点側に、入墨後に前記針ベース１３と、この針ベース１３に対向する針受け１４との間隔を初期状態に戻すための付勢部材１５を設けたことを特徴とする請求項１から請求項３のいずれか１項に記載の識別記号入墨器シリーズである。
【０００９】
また、請求項５記載の考案は、隣接する前記入墨針１３ａの軸芯の中心間距離が、前記入墨針１３ａの直径の１．５倍以上である請求項１から請求項４に記載の識別記号入墨器シリーズである。
【考案の効果】
【００１０】
請求項１記載の考案によれば、異なる記号を表示した針ベース１３を、二以上の入墨器のそれぞれに備えた識別記号入墨器シリーズであることにより、比較的小さい動物であるマウスに対して入墨作業を行う際に針ベース１３を交換する作業がなくなり入墨作業の効率を高めることができる。
【００１１】
請求項２記載の考案によれば、請求項１記載の考案の効果に加えて、入墨針１３ａが形状記憶合金であることにより、入墨針１３ａが曲がった際に一定の熱を加えて入墨針１３ａの状態を元に戻すことができ、針ベース１３を交換する頻度を少なくできる。このことによっても入墨作業の効率を高めることができる。
【００１２】
請求項３記載の考案によれば、請求項１又は請求項２に記載の考案の効果に加えて、入墨針１３ａの固定端側が第一操作腕１０に接することにより、入墨針１３ａの先端が入墨作業によって沈むことがなく、当初設定した入墨針１３ａの高さを維持できる。当初設定した入墨針１３ａの高さは、マウスの耳に同時に鑽孔するように調整しているので、長期にわたり適切な鑽孔作業を継続できる。
【００１３】
請求項４記載の考案によれば、請求項１から請求項３のいずれか１項に記載の考案の効果に加えて、はさみ体を構成する第一操作腕１０と第二操作腕１１の力点側に、入墨後に針ベース１３と針受け１４との間隔を初期状態に戻すための付勢部材１５を設けることにより、入墨後スムーズに針ベース１３と針受け１４とが初期状態に戻るので、入墨作業の効率が向上する。
【００１４】
請求項５記載の考案によれば、請求項１から請求項４のいずれか１項に記載の考案の効果に加えて、隣接する入墨針１３ａの軸芯の中心間距離が、入墨針１３ａの直径の１．５倍以上であることにより、マウスの耳が入墨針により分裂することを防止できる。
【図面の簡単な説明】
【００１５】
【図１】本考案の第一実施形態にかかる入墨器シリーズを構成する入墨器の初期状態の正面図である。
【図２】図１の入墨器の入墨作業状態の正面図である。
【図３】図１の入墨器の平面図である。
【図４】本考案の第一実施形態にかかる針ベースの側面図である。
【図５】図４の針ベースの平面図である。
【図６】図１の入墨器の使用状態図である。
【００１６】
本考案の実施の形態について以下図面と共に説明する。
【００１７】
図１には、本考案の第一実施形態にかかる入墨器シリーズを構成する入墨器の初期状態の正面図を、図２には入墨作業を行った直後の状態の正面図を、図３には平面図を示す。本考案の第一実施形態にかかる入墨器シリーズを構成する入墨器は、図１上で支点１２の左側に作用点を、右側に力点を配し、支点１２により第一操作腕１０と第二操作腕１１とを開閉自在とする洋はさみ形状の入墨器である。ここではさみ形状とは、２枚の細長い金属板が蝶番を中心軸として重なり合い開閉する、洋はさみが通常採用するような開閉支点が中間にある形状や、１枚の細長い金属板を曲折しその曲折点を中心に開閉する、開閉支点が作用点から離れている和はさみが通常採用する形状をいう。この入墨器の大きさは、図１上の左右で１２０ｍｍ、第一操作腕１０及び第二操作腕１１の作用点側、即ち図１上で支点１２の右側は、入墨器の使用者が把持しやすいように、幅が６ｍｍ前後である。また第一操作腕１０等はステンレス製であるので、入墨作業後に丸洗いをすることができ、錆などの経年劣化を防止できる。
【００１８】
第一操作腕１０の内側には入墨用の針ベース１３を備える。内側とは、入墨する作用点となる支点の左側の、第二操作腕１１に対向する側をいう。針ベース１３には一方向から二以上の中実の入墨針１３ａを突き立て、これらの入墨針１３ａの位置により数字やアルファベット等の記号を表示する。針ベース１３は第一操作腕１０に対して、ねじ（不図示）により固定する。針ベース１３側に固定ネジ穴１３ｃを設け、第一操作腕１０の外側からボルトで固定する。ねじで固定することにより、針ベース１３の入墨針１３ａの先端が鈍くなってきた場合には、針ベース１３を交換できる。また、別の固定方法として第一操作腕１０に取付溝等のガイド部分を設け、針ベース１３をスライドさせながらはめこみ固定する方法を採用することも可能である。この場合、ねじによる固定よりも交換が容易になる。
【００１９】
第一操作腕１０の針ベース１３を備える部分は、この針ベース１３の幅に合わせて、支点１２の軸芯方向の幅を狭くする場合がある。第二操作腕１１の針ベース１３に対向する面には針受け１４を設ける。この針受け１４は、針ベース１３の入墨針１３ａの先端を保護したり、入墨針１３ａが針受け１４に食い込み、鑽孔を確実にしたりするものであり、シリコンゴム製である。なお、針ベース１３の入墨針１３ａの先端は、針受け１４に接するときに、又は針受け１４に入墨針１３ａが若干もぐりこんだときに、針受け１４の表面と平行な面内に位置するようにする。このように入墨針１３ａの先端を構成することにより、マウスの耳に均一に鑚孔が可能となる。
【００２０】
はさみ体を構成する第一操作腕１０と第二操作腕１１の力点側、即ち図１上で右側に描かれ、入墨器の使用者が把持する部分の内側に、付勢部材１５である板バネを設ける。この板バネは、第一操作腕１０もしくは第二操作腕１１の両方と固定する場合と、いずれか一方と非固定とする場合がある。本実施形態では第二操作腕１１と付勢部材１５とはリベットにより固定され、第一操作腕１０とは固定しない。なお、この場合付勢部材１５が第一操作腕１０の側面に外れるのを防止するためのガイド等を設けることが望ましい。入墨器を図２に示す入墨作業状態にすると、付勢部材１５が第一操作腕１０と第二操作腕１１とを開く方向に力を付与し、入墨作業が終了して使用者が握力を弱めると、付勢部材１５により第一操作腕１０と第二操作腕１１とが初期状態、即ち付勢部材１５に力が作用しない位置に移動し、針ベース１３と針受け１４との間隔が一定以上ある初期状態に戻る。
【００２１】
はさみ体を構成する第一操作腕１０と第二操作腕１１の力点側に、入墨後に針ベース１３と針受け１４との間隔を初期状態に戻すための付勢部材１５を設けることにより、入墨後スムーズに針ベース１３と針受け１４とが初期状態に戻るので、入墨作業の効率が向上する。
【００２２】
付勢部材１５の一端側が、第一操作腕１０もしくは第二操作腕１１のいずれかと非固定である場合は、針ベース１３を備えた第一操作腕１０と、第二操作腕１１の間を初期状態よりも広く開けることができる。これにより、入墨針１３ａが鈍ったりした場合に針ベース１３を交換することが容易になり、作業能率が向上する。
【００２３】
図４には、本考案の第一実施形態にかかる入墨器シリーズを構成する入墨器が備える針ベース１３の側面図を、図５には平面図の一例を示す。図５（ａ）は、記号の内、アルファベットの「Ｍ」を、図５（ｂ）は数字の「２」を、図５（ｃ）は数字の「８」を表している。なお針ベース１３の表示は、入墨時に反転するので、各記号が反転した状態となる。図１上で針ベース１３は側面方向が示されている。
【００２４】
針ベース１３は硬質プラスチック製の固定板１３ｂを基盤として、図４上の下側から入墨針１３ａを突き立て、固定板１３ｂを通過させる。入墨針１３ａは、図５にあるように数字やアルファベット等の記号を表示するように、固定板１３ｂに突き立てる。即ち、一方向から二以上の入墨針１３ａを突き立てた状態の針ベース１３を構成する。なお、入墨針１３ａを固定板１３ｂに通過させる際、入墨針１３ａの固定端面が、固定板１３ｂの下面の平面内に位置するようにする。このようにすることで、入墨作業時に入墨針１３ａの固定端側が鋼製の第一操作腕１０に接するようになる。
【００２５】
この入墨針１３ａは形状記憶合金製であり、軸方向の長さは同じものを選択する。入墨針１３ａを固定板１３ｂに突き立てた後、固定板１３ｂの上下いずれかに接着剤を塗布し、固定板１３ｂと入墨針１３ａとの固定を強固にする。入墨針１３ａは、太さが０．３ｍｍのものを用い、入墨針１３ａの軸芯の中心間距離は、０．３ｍｍの１．５倍以上とし、本実施形態では余裕を見て０．５ｍｍより大きくなるようにしている。なお入墨針１３ａの材質は形状記憶合金に限定されるものでなく、ステンレスなどの材料を用いることも可能である。
【００２６】
入墨針１３ａが形状記憶合金であることにより、入墨針１３ａが曲がった際に一定の熱を加えて入墨針１３ａの状態を元に戻すことができ、針ベース１３を交換する頻度を少なくできる。このことによっても入墨作業の効率を高めることができる。
【００２７】
入墨針１３ａの固定端側が第一操作腕１０に接することにより、入墨針１３ａの先端が入墨作業によって沈むことがなく、当初設定した入墨針１３ａの高さを維持できる。当初設定した入墨針１３ａの高さは、マウスの耳に同時に鑽孔するように調整しているので、長期にわたり適切な鑽孔作業を継続できる。
【００２８】
隣接する入墨針１３ａの軸芯の中心間距離が、入墨針１３ａの直径の１．５倍以上であることにより、マウスの耳が入墨針１３ａにより分裂することを防止できる。
【００２９】
図６には、本考案の第一実施形態にかかる入墨器シリーズを構成する入墨器の使用方法を示す。使用者２１は、表示される記号が異なる針ベース１３を備えた入墨器を、二以上含んだ入墨器シリーズを用意する。例えば用意するのは、０から９までの数字を表示した針ベース１３をそれぞれ備えた１０本の入墨器により構成される入墨器シリーズであったり、アルファベットの大文字であるＡからＥまでの文字を表示した針ベースをそれぞれ備えた５本の入墨器により構成される入墨器シリーズであったりする。
【００３０】
針ベース１３は、固定ネジ穴１３ｃによりそれぞれ事前に入墨器を構成する第一操作腕１０にボルトで取付ける。このように事前に準備を行うことで、入墨作業自体には時間がかからず、効率を高めることができる。次に使用する記号の入墨器の力点部分を把持し、図１に示す状態にする。この状態で入墨針１３ａの先端に入墨用の墨を綿棒や墨を保持したスタンプ台を用いて付着させる。入墨器の使用者２１は、一方の手で試験体の試験マウス２０を固定し、もう一方の手で入墨器を把持する。そして入墨器の針受け１４を試験マウス２０の耳の後ろ側に接触させ、その状態で、入墨器を強く握ると図２の状態となり、入墨針１３ａが試験マウス２０の耳を通過し、それと同時に墨が試験マウス２０の耳に入り込み、入墨針１３ａによって表示された記号が試験マウス２０の耳に表示される。必要に応じてもう一方の耳にも入墨を行う。入墨後は、試験マウス２０の耳の表面に付着した、使用されなかった墨を除去すると共に、入墨器を綿棒で掃除する。
【００３１】
入墨作業中に入墨針１３ａが曲がったりした場合は、一定の熱を加えて形状記憶合金の機能を利用して入墨針１３ａの状態を初期状態にする。また、入墨針１３ａの先端が鈍くなってきたときは、入墨作業後に、同じ記号の針ベース１３と交換する。
【００３２】
異なる記号を表示した針ベース１３を、二以上の入墨器のそれぞれに備えた識別記号入墨器シリーズであることにより、比較的小さい動物であるマウスに対して入墨作業を行う際に針ベース１３を交換する作業がなくなり入墨作業の効率を高めることができる。
【００３３】
隣接する入墨針１３ａの軸芯の中心間距離が、入墨針１３ａの直径の１．５倍以上であることにより、マウス２０の耳が入墨針により分裂することを防止できる。マウスの耳の厚みを考慮すると、入墨針１３ａの太さが太くなり、さらに隣接した入墨針１３ａの軸芯の中心間距離が所定の値よりも小さくなると、入墨針１３ａによって穿った孔同士の間に入墨した際に亀裂が入り、表示した記号の態様でマウス２０の耳が分裂することが多いが、入墨針１３ａの直径の１．５倍以上の軸芯間距離を保持すると、孔同士の間に亀裂が入ることがなくなり、良好にマウス２０の耳に入墨することができる。
【符号の説明】
【００３４】
１  入墨器
１０  第一操作腕
１１  第二操作腕
１２  支点
１３  針ベース
１３ａ  入墨針
１３ｂ  固定板
１３ｃ  固定ネジ穴
１４  針受け
１５  付勢部材
２０  試験マウス
２１  使用者
【図１】
0003184930.tif 000003
【図２】
0003184930.tif 000004
【図３】
0003184930.tif 000005
【図４】
0003184930.tif 000006
【図５】
0003184930.tif 000007
【図６】
0003184930.tif 000008